(57)【特許請求の範囲】
【請求項１】
身体を横たえて支持する支持部、この支持部に一体的に設けられるとともに支持した身体の腰部が位置する両側縁部にその受け面を対向させた一対の凸状体、これら一対の凸状体のそれぞれの外側に配設され前記それぞれの凸状体とによって腕部を収容する収容溝を形成する外壁体、及び前記支持部の一端側に設けられた脚部収容溝を有する身体支持体と、
前記凸状体の受け面に配設されエアーの給排気によって膨縮して身体の腰部および脇腹部を押圧する脇腹用エアーバッグと、
前記一対の凸状体間に位置して身体を背面から押圧するエアーバッグを含んで前記支持部に配設されエアーの給排気によって膨縮して被施療部をマッサージするエアーバッグと、
前記腕用収容溝に配設されエアーの給排気によって膨縮して被施療部をマッサージするエアーバッグと、
前記身体支持体の脚部収容溝が設けられた側の端部の内部に形成された収納部に収容され、前記各エアーバッグにエアーを給排気するエアー給排気装置とからなり、
前記エアー給排気装置によるエアーの給排気で、前記脇腹用エアーバッグを膨縮させて身体の脇腹部および腰部をマッサージするとともに、前記凸状体の受け面に配設されて身体を側面から押圧する前記脇腹用エアーバッグを膨張させた状態で、前記凸状体間のエアーバッグを、膨張させるように制御したことを特徴とするエアーマッサージ機。
【請求項２】
請求項１記載の発明において、外壁体を凸状体に対向して接近・離反可能とし、外壁体を凸状体から離反させることにより腕用収容溝を形成するようにしたことを特徴とするエアーマッサージ機。
【発明の詳細な説明】
【０００１】
【発明の属する技術分野】
この発明は、エアーバッグにエアーを給排気して膨縮させることにより被施療部を押圧してマッサージをするエアーマッサージ機に関する。
【０００２】
【従来の技術】
従来、エアーバッグにエアーを給排気して膨縮させることにより被施療部を押圧してマッサージをするエアーマッサージ機は広く知られており、そして、この種のエアーマッサージ機には、椅子式あるいはマット式のものがある。
【０００３】
そして、前記マット式のものは、身体を横たえることができるつまり横たえた身体を支持するマット部に複数のエアーバッグを配設し、これらエアーバッグにエアー給排気装置によってエアーを給排気して、各エアーバッグを膨縮させて各被施療部を押圧してマッサージを行うものである。また、椅子式のものは座部および背もたれ部に複数のエアーバッグを配設し、これらエアーバッグにエアー給排気装置によってエアーを給排気して各エアーバッグを膨縮させて各被施療部のマッサージを行うものである。
【０００４】
また、上記マット式のものは身体を横たえてリラックスした状態でマッサージができるものであるが、従来のマット式のものは、マット部の上面部に配設したエアーバッグにエアーを給排気して膨縮させ、このエアーバッグに対向させた被施療部（仰向けに横たわった場合は背面側であり、うつ伏せに横たわった場合は前側つまり腹部側である）を下側から使用者の体重による重力に抗して押圧するものであることから、下方からの押圧のみによるマッサージとなってしまうものである。
【０００５】
しかし、実際には下方からの押圧とともに特に腰の側面部および脇腹部の押圧つまり側方から押圧して腰の側面部および脇腹部を押圧してマッサージすることは、マッサージ効果があるばかりか内臓の働きをよくする等の観点からは望ましいものである。このことは運動不足となると内臓の働きも緩慢となることから、どちらかというと運動不足になり易い高齢者には特に望ましいものである。
【０００６】
しかし、このように下方からの押圧とともに側方から押圧するエアーマッサージ機は、マッサージ効果を上げるとともに内臓の働きをよくするものであるが、このようなエアーマッサージ機は存在しない。
【０００７】
また、従来この種の椅子式あるいはマット式のエアーマッサージ機は、略全身つまり首部ないし脚部に亘る各部位のマッサージができるように、首部ないし脚部に亘る各部位に対応させてエアーバッグを配設する構成となっていることから、首部ないし脚部にわたってはマッサージできるものの、首部ないし脚部のマッサージとともに腕部をマッサージするものは同様に存在しない。
【０００８】
【発明が解決しようとする課題】
上記のように、下方からの押圧とともに腰の側面部および脇腹部等を側方から押圧してマッサージすることは、良好なマッサージ効果を得ることおよび内臓を刺激してその働きをよくする等の観点からは望ましいものであるが、従来このようなエアーマッサージ機は存在しない。
【０００９】
また、従来のエアーマッサージ機は、首部ないし脚部にわたってはマッサージできるものの、首部ないし脚部のマッサージとともに腕部をマッサージするものは同様に存在しない。
【００１０】
【課題を解決するための手段】
この発明は上記事情に鑑みてなされたもので、請求項１記載の発明は、身体を横たえて支持する支持部、この支持部に一体的に設けられるとともに支持した身体の腰部が位置する両側縁部にその受け面を対向させた一対の凸状体、これら一対の凸状体のそれぞれの外側に配設され前記それぞれの凸状体とによって腕部を収容する収容溝を形成する外壁体、及び前記支持部の一端側に設けられた脚部収容溝を有する身体支持体と、前記凸状体の受け面に配設されエアーの給排気によって膨縮して身体の腰部および脇腹部を押圧する脇腹用エアーバッグと、前記一対の凸状体間に位置して身体を背面から押圧するエアーバッグを含んで前記支持部に配設されエアーの給排気によって膨縮して被施療部をマッサージするエアーバッグと、前記腕用収容溝に配設されエアーの給排気によって膨縮して被施療部をマッサージするエアーバッグと、前記身体支持体の脚部収容溝が設けられた側の端部の内部に形成された収納部に収容され、前記各エアーバッグにエアーを給排気するエアー給排気装置とからなり、前記エアー給排気装置によるエアーの給排気で、前記脇腹用エアーバッグを膨縮させて身体の脇腹部および腰部をマッサージするとともに、前記凸状体の受け面に配設されて身体を側面から押圧する前記脇腹用エアーバッグを膨張させた状態で、前記凸状体間のエアーバッグを、膨張させるように制御したことを特徴とするエアーマッサージ機としたものである。
【００１１】
この請求項１記載の発明は、身体の被施療部である背面部を下方から押圧するとともに、腰部の側方からも押圧することから良好なマッサージができるとともに内臓の働きを促進でき、また、腕部を同時にマッサージできるという作用を有するものである。
更に請求項１記載の発明は、前記支持部に配設されたエアーバッグが、前記一対の凸状体間に位置して身体を背面から押圧するエアーバッグを含んでいるので、この凸状体間のエアーバッグを、前記凸状体の受け面に配設されて身体を側面から押圧するエアーバッグを膨張させた状態で、膨張させることができる。これにより、側面と背面とからの押圧により内臓への刺激を促進させることができるとともに、凸状体間に位置するエアーバッグによる押圧効果を高めることができる。
【００１２】
また、請求項２記載の発明は、請求項１記載の発明において、外壁体を凸状体に対向して接近・離反可能とし、外壁体を凸状体から離反させることにより腕用収容溝を形成するようにしたエアーマッサージ機としたものである。
【００１３】
この請求項２記載の発明は、腕部のマッサージをしない場合および不使用時は側方への突出量を少なくできるとともにエアーバッグの損傷等を防止できるという作用を有するものである。
【００１４】
【発明の実施の形態】
つぎに、この発明の第一の実施の形態を図１ないし図５に基いて説明する。
【００１５】
図１は、エアーマッサージ機（以下単にマッサージ機という）１の全体を示す斜視図であり、このマッサージ機１は、身体支持体１０、この身体支持体１０の足先が位置する側の端部内部に収納されたエアー給排気装置５０、この身体支持体１０の所定の部位に配設されたエアーバッグ等から構成されている。
【００１６】
そして、前記身体支持体（以下単に支持体という）１０は、保形性を有する合成樹脂からなり、同図に示すように長手方向と直交する断面を略コ字状とし、下方側を後述する空間部１９とした略平坦でかつ細長状に形成されている。この支持体１０の長手方向略中間部にはヒンジ部１１が形成され、不使用に収納する場合等はこのヒンジ部１１から二つ折りに折り畳んで所定の収納場所に収納できるようになっている。
【００１７】
また、支持体１０の一端側つまり脚部が位置する側は、他端側つまり上半身が位置する側よりも上方に向けて突出して高く形成されており、この高く形成された部分には、図１に示すように長手方向に沿って形成され両脚の略全体つまり足先部から略太股部までを収容するための一対の脚部収容溝１２が形成されている。また、この脚部収容溝１２に隣接して高く形成された部分の内部は、図に示すように収納部Ｓが形成されており、この収納部Ｓには後に詳述する前記エアー給排気装置５０が収納されている。
【００１８】
なお、前記収納部Ｓは支持体１０の両側壁１０ａ、端壁１０ｂ（図１参照）および前記両側壁１０ａに設けたボス１０ｃにねじ１０ｄによって取り付けられた底板１０ｅによって形成されている。また、前記エアー給排気装置５０は前記底板１０ｅに図示しないねじによって取り付けられているものである。
【００１９】
また、支持体１０には、使用者が横たえた身体の腰部つまり腰の側部から脇腹部に対応する部位の両側縁部に、図１に示すように長手方向に沿って一体に形成された一対の凸状体１３が互いに離間対向して形成され、これら一対の凸状体１３の対向する対向面は後述する脇腹用エアーバッグ４６の一側を受ける受け面１３ａとなっている。
【００２０】
また、前記それぞれの凸状体１３の外側には、この凸状体１３に連続して一体に形成して設けられ、この凸状体１３とで腕部を収容するＵ字状の収容溝１４を形成する外壁体１５が設けられている。
【００２１】
また、前記支持体１０の他端部側には、長手方向に沿って形成されたガイド溝１６が形成されており、このガイド溝１６は後述する首部用マッサージ具２０を長手方向に沿って移動させる際のガイドをするものである。
【００２２】
そして、前記支持体１０の上面部は使用者が身体を横たえた際の支持部としての平坦な支持面１７となっており、この支持面１７には図１に示すように、肩部のマッサージをする肩用エアーバッグ４１、背中部のマッサージをする背中用エアーバッグ４２、背筋のマッサージをする背筋用エアーバッグ４３、腰部のマッサージをする腰用エアーバッグ４４、尻部のマッサージをする尻用エアーバッグ４５が配設されている。
【００２３】
また、前記一対の凸状体１３のそれぞれの受け面１３ａには、図１および図２に示すように腰の側部および脇腹部を押圧する脇腹用エアーバッグ４６が配設されており、また、前記腕部を収納する収容溝１４の前記それぞれの外壁体１５の凸状体１３と対向する壁面１５ａには、腕部のマッサージをする腕用エアーバッグ４７が配設されている。なお、図２において両凸状体１３の間に符号Ｄを付した二点鎖線は、身体の脇腹に当たる胴部を、また、収容溝１４内に符号Ｋを付した二点鎖線は腕部を指すものである。
【００２４】
また、前記一対の脚部収納溝１２の互いに対向する対向壁１２ａのそれぞれには、脚部をマッサージする脚用エアーバッグ４８が互いに対向するようにして配設されている。
【００２５】
そして、前記肩用エアーバッグ４１ないし尻用エアーバッグ４５は、それぞれエアーホース（以下単にホースという）４１ａないし４５ａを介して前記エアー給排気装置５０に接続されており（図５参照）、また、両脇腹用エアーバッグ４６は、ホース４６ａおよびこのホース４６ａを一本に纏めたホース４６ｂを介して、また、腕用エアーバッグ４７は、ホース４７ａおよびこのホース４７ａを一本に纏めたホース４７ｂを介して、また、脚用エアーバッグ４８は、ホース４８ａおよびこのホース４８ａを一本に纏めたホース４８ｂを介して前記エアー給排気装置５０に接続されている。
【００２６】
そして、これら肩用エアーバッグ４１ないし脚用エアーバッグ４８は、前記エアー給排気装置５０からエアーの給排気がされて膨縮するようになっている。
【００２７】
また、図２に示すように、支持体１０の支持面１７と側壁１０ａによって形成される空間部１９には、図示しないが前記ホース４１ａないし４５ａおよびホース４６ａ、４６ｂないし４８ａ、４８ｂが同じく図示しない位置決め部材によって固定されて配置されるようになっている。
【００２８】
また、支持体１０は、前記肩用エアーバッグ４１ないし脚用エアーバッグ４８を配設した状態で伸縮性のある布等からなるカバー１８によって全体を覆われているものである。なお、このカバー１８には前記ガイド溝１６に対応してスリット状の孔１８ａが形成されている。
【００２９】
つぎに、前記首部用マッサージ具２０について説明する。
【００３０】
この首部用マッサージ具２０は図３に示すように、方形状の基板２１、この基板２１に取り付けられ一対の軸受２２ａが設けられた軸受板２２、この軸受板２２の前記軸受２２ａに一端側を軸支され他端側に押圧子２３ａを有する一対の可動板２３、この可動板２３と前記基板２１との間に配設された一対の駆動用エアーバッグ４９とから構成されている。
【００３１】
そして、前記基板２１の裏面側つまり前記軸受板２２が取り付けられている側と反対側には、前記支持体１０に形成したガイド溝１６に沿って移動するガイド軸２５が一体に取り付けられており、また、前記ガイド軸２５の先端部には、ねじ２６ａによって着脱可能に取り付けられた抜止部材２６が取り付けられており、この抜止部材２６は前記ガイド溝１６からガイド軸２５の抜け止めを防止するように機能しているものである。なお、基板２１は、ガイド軸２５を支持体１０の上面側からガイド溝１６に挿入した後、抜止部材２６をねじ２６ａによってガイド軸２５に取り付けることによって支持体１０にガイド溝１６に沿って移動可能に取り付けられるものである。
【００３２】
また、前記駆動用エアーバッグ４９は、前記軸受板２２を基板２１に取り付ける際に、両駆動用エアーバッグ４９を接続している帯状部材４９ｄを基板２１と軸受板２２によって挟持することにより取り付けられるものである。また、前記可動板２３は、その基部を前記軸受２２ａに軸支される軸２７によって取り付けられている。
【００３３】
また、前記駆動用エアーバッグ４９は、図３では図示しないがエアーホース４９ａを介して前記エアー給排気装置５０によってエアーの給排気がされるようになっており、この一対の駆動用エアーバッグ４９が膨張すると駆動用エアーバッグ４９によって両可動板２３は軸２７を回動支点として互いに接近する方向に回転し、この回転に伴なって両押圧子２３ａも互いに接近する方向に移動する。つまり、駆動用エアーバッグ４９が膨張すると両押圧子２３ａは互いに接近し、このことによって首部は両押圧子２３ａによって押圧されマッサージがされるものである。
【００３４】
また、駆動用エアーバッグ４９のエアーが排気され収縮すると可動板２３は元の状態つまり、互いに離反する方向に回転することから両押圧子２３ａも互いに離反し押圧は解除される。したがって、両駆動用エアーバッグ４９にエアーの給排気をして膨縮を繰り返すことによって首部のマッサージをすることができるものである。なお、ホース４９ａ、４９ｂも前記空間部１９に配されているものである。
【００３５】
そして、使用者はマッサージをするに当たっては、首部用マッサージ具２０を前記ガイドに沿って移動することによって自己が望む首部の位置に位置決めすることできるものである。
【００３６】
つぎに、上記エアーマッサージ機１の制御構成を図５の制御ブロック図に基いて説明する。
【００３７】
図５に示すようにエアー給排気装置５０は、エアーポンプ等からなるエアー生成手段５１とこのエアー生成手段５１にエアーホース５２を介して接続されたロータリー弁等からなるエアー分配器５３とから構成されている。また、前記エアー生成手段５１およびエアー分配器５３はマイクロコンピュータ等から構成される制御手段５４によって制御されるようになっている。
【００３８】
また、前記制御手段５４にはリモートコントロール装置（以下リモコン装置という）５５から各種マッサージモードを設定するための信号等各種の信号が入力されるようになっている。
【００３９】
また、上述したように前記支持体１０に配設された肩用エアーバッグ４１ないし尻用エアーバッグ４５には、図５に示すようにホース４１ａないし４５ａの一端が接続され、これらホース４１ａないし４５ａの他端は前記エアー分配器５３の図示しない供給口に接続されている。また、前記一対の脚部収納溝１２の対向壁１２ａに設けられたそれぞれの脚用エアーバッグ４８には、ホース４８ａの一端が接続され、これら各ホース４８ａの他端はホース４８ｂに纏められて前記エアー分配器５３の図示しない供給口に接続されている。
【００４０】
また、前記一対の脇腹用エアーバッグ４６には、ホース４６ａの一端が接続され、これら各エアーホース４６ａの他端はエアーホース４６ｂに纏められて前記エアー分配器５３の図示しない供給口に接続されており、また、前記一対の腕用エアーバッグ４７には、ホース４７ａの一端が接続され、これら各ホース４７ａの他端はエアーホース４７ｂに纏められて前記エアー分配器５３の図示しない供給口に接続されている。
【００４１】
また、前記一対の駆動用エアーバッグ４９には、ホース４９ａの一端が接続され、これら各ホース４９ａの他端はホース４９ｂに纏められて前記エアー分配器５３の図示しない供給口に接続されている。
【００４２】
なお、前記各種マッサージモードとしては、前記肩用エアーバッグ４１ないし駆動用エアーバッグ４９に所定の順序でエアーを給排気をして膨縮させてマッサージをする全身マッサージモード、肩用エアーバッグ４１ないし尻用エアーバッグ４５に所定の順序でエアーを給排気して膨縮させて上半身のみをマッサージする上半身マッサージモード、尻用エアーバッグ４５および脚部用エアーバッグにエアーの給排気をして、下半身のみをマッサージする下半身マッサージモードおよび肩用エアーバッグ４１ないし駆動用エアーバッグ４９のうちのいずれか一つをのみを駆動して、各被施療部のうちの一つをマッサージする部分マッサージモード等である。
【００４３】
つぎに、上記のように構成したエアーマッサージ機１の動作について説明する。
【００４４】
まず、使用者は、前記支持体１０の支持面１７に、両脚部を前記それぞれの脚部収容溝１２に入れるとともに仰向け状態またはうつ伏せ状態にして身体を横たえる。そして、前記首部用マッサージ具２０を長手方向に動かして所望の位置に位置決めする。
【００４５】
ついで、リモコン装置５５から所望のマッサージモードおよびマッサージ時間を設定し、リモコン装置５５の設けられた図示しない始動スイッチを閉成する。この始動スイッチが閉成され始動信号が制御手段５４に入力されると、制御手段５４は前記エアー生成手段５１を駆動するとともに、前記エアー分配器５３を制御して、前記設定されたマッサージモードによって定められた所定の順序にしたがって肩用エアーバッグ４１ないし駆動用エアーバッグ４９にエアーの給排気をして膨縮させ、この動作を継続する。
【００４６】
これら肩用エアーバッグ４１ないし駆動用エアーバッグ４９の膨縮によって各被施療部のマッサージがなされる。そして、前記設定された時間が経過すると制御手段５４は、前記エアー生成手段５１およびエアー分配器５３を停止させるように制御し、マッサージは終了する。
【００４７】
そして、前記マッサージをする際に前記脇腹用エアーバッグ４６を膨縮するモードが設定されている場合は、この脇腹用エアーバッグ４６の膨縮により、脇腹部および腰部の側部の筋肉のマッサージがなされるとともに、脇腹部が押圧されることにより、内臓が刺激されその働きが促進されるものである。
【００４８】
また、マッサージをする際に前記腕用エアーバッグ４７を膨縮するモードが設定されている場合は、この腕用エアーバッグ４７の膨縮により、腕部のマッサージがなされるものである。そして、この腕部のマッサージを全身マッサージモードと同時に実行するときは、腕部は身体の他の部分と同時にマッサージできる、つまり腕部を含む全身をマッサージできるためマッサージ効果の向上が図れるものである。
【００４９】
なお、前記脇腹用エアーバッグ４６は、上記したように腰部の側部および脇腹部の筋肉のマッサージをするとともに、内臓の働きを促進させるように機能するものであるが、この脇腹用エアーバッグ４６を膨張させた状態で背筋用エアーバッグ４３、腰用エアーバッグ４４等を膨張させるように制御する構成とした場合は、腰部の上方への移動を規制した状態で前記背筋用エアーバッグ４３、腰用エアーバッグ４４等が膨張することから、その押圧効果を高めることができるためマッサージ効果を高めるとともに、内臓も側面と背面（うつ伏状態の場合は前面）から同時に押圧されることから、内臓への刺激を増大させてその働きの促進をより高めることができるものである。
【００５０】
また、マッサージが終了し、エアーマッサージ機１を所定の場所に収納するときは、前記ヒンジ部１１の部分で折り曲げて二つ折りとして収納する。なお、この折り曲げはいずれの方向にも折り曲げられる構成としてもよく、また、いずれか一方に折り曲げる構成としてもよいものである。なお、この実施の形態では支持面１７が内側となるように折り曲げる構成としてある。
【００５１】
このように上記第一の実施の形態におけるエアーマッサージ機１は、身体を支持する支持面１７と一体に形成されるとともに、身体を横たえた際に腰部が位置する両側縁部にその受け面１３ａを対向させた一対の保形性を有する凸状体１３、これら一対の凸状体１３のそれぞれの外側に配設され前記それぞれの凸状体１３とによって腕部を収容する収容溝１４を形成する保形性を有する外壁体１５からなる支持体１０を形成し、この支持体１０の支持面１７に肩用エアーバッグ４１ないし尻用エアーバッグ４５および脚用エアーバッグ４８を配設するとともに、凸状体１３の受け面１３ａに脇腹用エアーバッグ４６を、また、収容溝１４の壁面１５ａに腕用エアーバッグ４７を配設し、これら肩用エアーバッグ４１ないし腕用エアーバッグ４８を膨縮させる構成としたことから、身体の被施療部である背面部を下方から押圧するとともに、腰部の側方からも押圧することから良好なマッサージができるとともに内臓の働きを促進でき、また、腕部を同時にマッサージできるものである。
【００５２】
なお、上記第一の実施の形態においては首部用マッサージ具２０は、駆動用エアーバッグ４９によって回動する押圧子２３ａを有する可動板２３等によって構成したが、これは肩部等をマッサージすると同様なエアーバッグによって構成するようにしてもよいものである。
【００５３】
また、上記第一の実施の形態においては、脚用エアーバッグ４８は長尺状の一つのエアーバッグで構成したが、これは、脚部の各部の太さに対応させてそれぞれ複数に分割したエアーバッグによって構成してもよいものである。
【００５４】
つぎに、この発明の第二の実施の形態を図６ないし図９に基いて説明する。
【００５５】
なお、この第二の実施の形態のエアーマッサージ機１Ａが第一の実施の形態のエアーマッサージ機１と相違する構成は、腕部を収容する収容溝に関係する構成のみであり、その他の構成は同一であることから同一構成部については同一符号を付しその説明は省略することとする。
【００５６】
この第二の実施の形態における収容溝１１４は、図６ないし図８に示すように、上記第一の実施の形態の場合と同様、凸状体１１３とこの凸状体１１３の外側に設けられた外壁体１１５とによって形成されている。なお、図７、図８はカバー１８を省略して示してある。
【００５７】
前記凸状体１１３の受け面１１３ａは、第一の実施の形態の受け面１３ａと同様に構成されているが、この凸状体１１３の外側面１１３ｂは支持面１７と略直交する平坦面に形成されている。また、前記外壁体１１５は図７ないし図９に示すように、前記外側面１１３ｂと対向する面には偏平状に収縮した腕用エアーバッグ４７を収納する略方形状の凹部１１５ａが形成され、この凹部１１５ａの額縁状の外周縁面１１５ｂは前記凸状体１１３の外側面１１３ｂとカバー１８（図７、図８では不図示）を介して面接触する平面に形成されている。
【００５８】
また、外壁体１１５の前記外周縁面１１５ｂは、図８に示すように底面１１５ｃを床面Ｆに接触させた状態で前記凸状体１１３の外側面１１３ｂとの間に腕部Ｋを収容する略Ｖ字状の収容溝１１４が形成されるように傾斜させて形成されている。
【００５９】
また、前記凸状体１１３と外壁体１１５とは、それぞれ凸状体１１３の底面１１３ｃと前記外壁体１１５の底面１１５ｃに取り付けられた蝶番６０によって結合されており、このことによって外壁体１１５は前記蝶番６０の軸６１を回動支点として、その外周縁面１１５ｂを凸状体１１３の外側面１１３ｂに対して接近・離反できるようになっている。
【００６０】
そして、外壁体１１５を凸状体１１３から離反させてその底面１１５ｃが床面Ｆに接触させたときは、図８に示すように凸状体１１３の外側面１１３ｂとの間に収容溝１１４が形成され、また、外周縁面１１５ｂが外側面１１３ｂに接触するまで回動させたときは、図７に示すように底面１１５ｃは床面Ｆから離れ、このとき外壁体１１５の凸状体１１３の外側面１１３ｂからの外側方向への突出量は少なくなるようになっている。
【００６１】
つまり、腕部のマッサージをするために外壁体１１５を外側に回動させて腕部を収容する収容溝１１４を形成する場合は、外壁体１１５の外方への突出量は大きくなるが、腕部のマッサージをしない場合あるいは不使用状態の場合のように外壁体１１５を凸状体１１３側に回動させた場合（収容溝１１４は構成されないつまり閉じられている）は、外方への突出量は少ないものである。したがって、腕部のマッサージをしない場合あるいは不使用状態の場合は、エアーマッサージ機１Ａの床面に対する占有スペースを小さくできるものである。
【００６２】
また、前記外壁体１１５の外周縁面１１５ｂを覆うカバー１８の部位には、図６に示すようにマジックテープＭ１が取り付けられており、また、凸状体１１３の外側面１１３ｂを覆うカバー１８には前記マジックテープＭ１と対応してマジックテープＭ２が取り付けられており、前記両マジックテープＭ１とＭ２が結合することにより、外壁体１１５を凸状体１１３に接触状態に保持つまり外壁体１１５を凸状体１１３に接合状態として保持できるようになっている。
【００６３】
そして、前記外壁体１１５に形成された凹部１１５ａには、腕用エアーバッグ４７が図７および図８に示すように下端側を取付部材４７ｄによって取り付けられて収容されており、この腕用エアーバッグ４７はエアーが供給されて膨張したときは図８に二点鎖線で示すように前記凹部１１５ａより外方つまり前記凸状体１１３の外側面１１３ｂに向かって膨出し、外側面１１３ｂとによって腕部を挟みつけるように押圧し、このことによって腕部のマッサージがなされるものである。
【００６４】
また、収縮時は偏平状態となり前記凹部１１５ａ内に収容されることから、不使用の場合等には外壁体１１５、その外周縁面１１５ｂを凸状体１１３の外側面１１３ｂに面接触させることができ、この状態では前記両マジックテープＭ１、Ｍ２は結合することから、外壁体１１５は外方に向けてつまり凸状体１１３から離反する方向に回動することはないものである。また、収容された状態では、腕用エアーバッグ４７は外部に露出していないことから、損傷することがないものである。
【００６５】
また、腕部のマッサージをする場合は、外壁体１１５を凸状体１１３から離反させるように外方に向けて動かし、前記両マジックテープＭ１とＭ２を離しさらに外方に向けて回動することにより収容溝１１４が形成され、この収容溝１１４に腕部を入れて腕用エアーバッグ４７を膨縮させることにより腕部のマッサージがなされるものである。
【００６６】
なお、この第二の実施の形態における制御構成等は上記第一の実施の形態の場合と同様であることから省略する。
【００６７】
このように上記第二の実施の形態のエアーマッサージ機１Ａは、収容溝１１４を形成する外壁体１１５を凸状体１１３に対向して接近・離反可能に構成したことから、腕部のマッサージをしない場合および不使用時は側方つまり外方への突出量を少なくできるとともにエアーバッグの損傷等を防止できるものである。
【００６８】
また、上記第二の実施の形態では、外壁体１１５を凸状体１１３から接近・離反させる構成を外壁体１１５を蝶番６０によって回動させるようにしたが、これは、支持体１０の側壁１０ａから外方に向けて引出し自在に出没させる構成として接近・離反させるようにしてもよい。
【００６９】
なお、上記第一および第二の実施の形態では、脚部収容溝１２を形成する構成としたが、これは省略する構成としてもよいものである。しかし、脚部収容溝１２を形成する構成とした場合は、脚部を挟み付けるように押圧ができることからマッサージ効果が高められるという利点がある。
【００７０】
また、上記第一および第二の実施の形態のように、エアー給排気装置５０を支持体１０の内部に設ける構成とした場合は、エアー給排気装置５０と各エアーバッグを接続する各ホースを支持体１０の支持面１７の裏面側に形成された空間部１９に配置し、外部に露出させることなく配設できるとともに、ホースの長さを短くできることから、流路抵抗を小さくできるという利点がある。
【００７１】
また、上記第一および第二の実施の形態では、腕用エアーバッグ４７は外壁体１５または１１５にのみ設けることとしたが、これは凸状体１３または１１３側にも配設するようにしてもよいものである。
【００７２】
また、上記第一および第二の実施の形態における凸状体１３および１１３は、脇腹用エアーバッグを受ける受け面と、収容溝１４および１１４を構成する一方の壁面との両方を有するものであり、このことによって支持体１０の幅方向の寸法を小さくできるものである。
【００７３】
また、上記第一および第二の実施の形態においては、凸状体１３および１１３を支持体１０に一体に形成する構成としたが、これは別体として支持体１０に着脱可能とする構成とするとともに、固定状態として支持体１０に取り付ける構成としてもよいものである。
【００７４】
【発明の効果】
上記のように請求項１記載の発明は、身体の被施療部である背面部を下方から押圧するとともに、腰部の側方からも押圧することから良好なマッサージができるとともに内臓の働きを促進でき、また、腕部を同時にマッサージできるという効果を有するものである。
更に、側面と背面とからの押圧により内臓への刺激を促進させることができるとともに、凸状体間に位置するエアーバッグによる押圧効果を高めることができるという効果を有するものである。
【００７５】
また、請求項２記載の発明は、請求項１記載の発明の効果に加えて、腕部のマッサージをしない場合および不使用時は側方への突出量を少なくできるとともにエアーバッグの損傷等を防止できるという効果を有するものである。
【図面の簡単な説明】
【図１】本発明の第一の実施の形態のエアーマッサージ機の全体斜視図。
【図２】上記エアーマッサージ機の横断面図（図１におけるＡ−Ａ線での断面）。
【図３】上記エアーマッサージ機の首部用マッサージ具の側面図。
【図４】上記エアーマッサージ機の横断面図（図１におけるＢ−Ｂ線での断面）。
【図５】上記エアーマッサージ機の制御ブロック図。
【図６】本発明の第二の実施の形態のエアーマッサージ機の全体斜視図。
【図７】上記第二の実施の形態の収容溝を閉じた状態の横断面図。
【図８】上記第二の実施の形態の収容溝を開いた状態の横断面図
【図９】上記第二の実施の形態の外壁体の斜視図。
【符号の説明】
１            エアーマッサージ機
１０          身体支持体
１２          脚部収容溝
１３          凸状体
１３ａ        凸状体の受け面
１４          腕用収容溝
１５          外壁体
１７          支持面（支持部）
４１〜４８    エアーバッグ
５０          エアー給排気装置
Ｓ            収納部
５４          制御手段
Ｋ            腕部
【図１】
0003668007.tif 000002
【図２】
0003668007.tif 000003
【図３】
0003668007.tif 000004
【図４】
0003668007.tif 000005
【図５】
0003668007.tif 000006
【図６】
0003668007.tif 000007
【図７】
0003668007.tif 000008
【図８】
0003668007.tif 000009
【図９】
0003668007.tif 000010